(57)【要約】【課題】  動作中に蒸気噴射量をコントロールすることができるスートブロワ装置を提供する。【解決手段】炉内１２に対して抜き差し可能で先端部にノズル１８を有するランスチューブ７と、ランスチューブ７を回転駆動するモータ５と、ランスチューブ７に対する清掃媒体の送込量を調整するポペット弁３を備え、ランスチューブ７を炉内１２に挿入し、ポペット弁３を通してランスチューブ７に清掃媒体を送り込み、ノズル１８から清掃対象物１９に清掃媒体を噴射するものにおいて、ノズル１８が清掃対象物１９と対向しているときと対向していないときを検知するセンサ２２を設け、センサ２２からの信号に基づいてノズル１８が清掃対象物１９と対向するとき、ポペット弁３を開いてノズル１８から清掃媒体を噴射することを特徴とする。【選択図】  図４
2005147581.tif 000002
【特許請求の範囲】
【請求項１】
炉内に対して抜き差し可能で先端部にノズルを有するランスチューブと、
そのランスチューブを回転駆動するモータと、
前記ランスチューブに対する清掃媒体の送込量を調整するポペット弁とを備え、
前記ランスチューブを炉内に挿入し、前記ポペット弁を通してランスチューブに清掃媒体を送り込み、前記ノズルから清掃対象物に清掃媒体を噴射して清掃するスートブロワ装置において、
前記モータによって回転している前記ランスチューブのノズルが清掃対象物と対向しているときと対向していないときを検知するセンサを設け、そのセンサからの信号に基づいてランスチューブのノズルが清掃対象物と対向するときに、前記ポペット弁を開いて前記ノズルから清掃媒体を噴射する構成になっていることを特徴とするスートブロワ装置。
【請求項２】
請求項１記載のスートブロワ装置において、前記ポペット弁が全開と全閉と中間開度の複数段に切替え可能になっていることを特徴とするスートブロワ装置。
【請求項３】
炉内に対して抜き差し可能で先端部にノズルを有するランスチューブと、
そのランスチューブを回転駆動するモータと、
前記ランスチューブに対する清掃媒体の送込量を調整するポペット弁とを備え、
前記ランスチューブを炉内に挿入し、前記ポペット弁を通してランスチューブに清掃媒体を送り込み、前記ノズルから清掃対象物に清掃媒体を噴射して清掃するスートブロワ装置の制御方法において、
前記ポペット弁の開度が全開と中間開度に切替え可能になっており、
前記モータによって回転している前記ランスチューブのノズルが清掃対象物と対向しているときと対向していないときを検知するセンサを設け、
そのセンサからの信号に基づいて、ランスチューブのノズルが清掃対象物と対向するときは、前記ポペット弁を全開にして前記ノズルから清掃媒体を噴射し、ランスチューブのノズルが清掃対象物と対向していないときは、前記ポペット弁を中間開度に絞って前記ノズルからの清掃媒体の噴射量を規制することを特徴とするスートブロワ装置の制御方法。
【請求項４】
炉内に対して抜き差し可能で先端部にノズルを有するランスチューブと、
そのランスチューブを回転駆動するモータと、
前記ランスチューブに対する清掃媒体の送込量を調整するポペット弁とを備え、
前記ランスチューブを炉内に挿入し、前記ポペット弁を通してランスチューブに清掃媒体を送り込み、前記ノズルから清掃対象物に清掃媒体を噴射して清掃するスートブロワ装置の制御方法において、
前記ポペット弁の開度が全開と中間開度に切替え可能になっており、
前記モータによって回転している前記ランスチューブのノズルが清掃対象物と対向しているときと対向していないときを検知するセンサを設け、
そのセンサからの信号に基づいて、ランスチューブのノズルが清掃対象物と対向するときは、前記ポペット弁を全開にして前記ノズルから清掃媒体を噴射し、ランスチューブを炉内から抜き出すときは、前記ポペット弁を中間開度に絞って前記ノズルからの清掃媒体の噴射量を規制することを特徴とするスートブロワ装置の制御方法。
【請求項５】
炉内に対して抜き差し可能で先端部にノズルを有するランスチューブと、
そのランスチューブを回転駆動するモータと、
前記ランスチューブに対する清掃媒体の送込量を調整するポペット弁とを備え、
前記ランスチューブを炉内に挿入し、前記ポペット弁を通してランスチューブに清掃媒体を送り込み、前記ノズルから清掃対象物に清掃媒体を噴射して清掃するスートブロワ装置の制御方法において、
前記ポペット弁の開度が全開と中間開度に切替え可能になっており、
前記モータによって回転している前記ランスチューブのノズルが清掃対象物と対向しているときと対向していないときを検知するセンサを設け、
そのセンサからの信号に基づいて、ランスチューブのノズルが清掃対象物と対向するときは、前記ポペット弁を全開にして前記ノズルから清掃媒体を噴射し、ランスチューブのノズルが清掃対象物と対向していないとき、ならびにランスチューブを炉内から抜き出すときには、前記ポペット弁を中間開度に絞って前記ノズルからの清掃媒体の噴射量を規制することを特徴とするスートブロワ装置の制御方法。
【発明の詳細な説明】
【技術分野】
【０００１】
本発明は、石炭焚ボイラなどの伝熱部や炉壁に付着、堆積している灰などを蒸気などの清掃媒体の噴射により吹き飛ばして除去する煤吹き装置と称されるスートブロワ装置に係り、特にスートブロワ運転時の清掃媒体の噴射量を調整し、経済性及び清掃対象物（チューブ、コイルなど）のスチームエロージョンを抑制するのに好適なスートブロワ装置ならびにその制御方法に関する。
【背景技術】
【０００２】
図５はスートブロワ装置の全体構成を示す図である。同図において、符号１１はボイラの炉外（壁外）を示し、符号１２は炉内（壁内）を示す。スートブロワは炉壁に取り付けられたウォールボックス１とフレーム８の後部サポート１０に支持され、炉内１２に挿入・引き抜きを行うランスチューブ７を炉壁に対して直角になるよう配置している。
【０００３】
ランスチューブ７とフィードチューブ６は二重管構造になっており、モータ５を回転させるとキャリッジ４がランスチューブ７を回転させながら、フィードチューブ６に沿って前進し、炉内１２にランスチューブ７を挿入させる。炉内１２を清掃する高圧の噴射媒体である蒸気は、スートブロワ後部にあるポペット弁３の開閉動作によりフィードチューブ６を介しランスチューブ７に送られ、ランスチューブ７に設けられたノズル（図示せず）より炉内に噴射される。符号２はローラブラケット、９は操作ボックスである。
【０００４】
図６にランスチューブ７を炉内１２に挿入した時の状態を示す。この状態になって初めて二重管の内管となっているフィードチューブ６がランスチューブ７から出現する。この状態よりモータ５を逆回転させるとキャリッジ４はランスチューブ７を挿入時の逆方向に回転させ、フィードチューブ６に沿って後退を始め、炉内１２からランスチューブ７を引き抜く。すなわち、スートブロワ装置は図５の状態と図６の状態の繰り返しを行っている。その動作時間はランスチューブ７の挿入長さに変わってくるが、片道およそ５分程度の動作時間である。
【０００５】
図７にポペット弁３の開閉機構を示す。同図(ａ)はポペット弁開閉機構の正面図、同図(ｂ)はポペット弁開閉機構の側面図である。ポペット弁３の開閉はフレーム８に設置されたリンク機構で行われ、キャリッジ４の移動によりカム１４を倒し、アームを引っ張ることでポペット弁３上部のトリガ１５を倒して、ポペット弁内ステム（図示せず）を押し下げ、蒸気がノズルから噴出される。図７は、トリガ15を倒した状態を示している。
【０００６】
従来のスートブロワ装置においてはこのリンク機構は、キャリッジ４の前進（すなわち、ランスチューブ７の炉内挿入）とほぼ同時にカム１４を倒し（蒸気噴射）、引き戻し後のキャリッジ停止直前でカム１４を起す（蒸気噴射停止）機構となっている。すなわち、蒸気がポペット弁３でON―OFFされる間、高圧蒸気は一定量で流れ続ける機構になっている。
【０００７】
この機構によれば図８に示されるような吊り下げペンダントコイル２４部を清掃する位置に配置されたスートブロワは３６０°回転しながら蒸気噴射を実施するので、対象コイル（吊り下げコイル２４）がない上下方向においても常時吹き続けている。この上下方向への蒸気は清掃には関与せず、無駄な蒸気となっている。その量は１回のスートブロワ消費量の約５０％である。符号１８はランスチューブ７に設けられたノズル、２３は蒸気噴射不要範囲、２５は蒸気噴射必要範囲を示す。
【０００８】
図９に示す横置きのコイル２６の場合も同様であり、横方向に対象物（横置きコイル２６）が無いため、横方向への蒸気噴射は無駄な蒸気噴射となっている。この蒸気消費量を算出してみると以下のようになる。
【０００９】
１回のスートブロワ運転での蒸気消費量は配置される場所によりそれぞれのスートブロワで異なるが、１台当たりの平均消費量の平均を６ｔ／ｈとすると１台/回の運転で１ｔｏｎの蒸気を噴出していることになる（１回あたりの運転時間を前述した５分×２＝１０分とした場合）。ボイラ全体で考えた場合、１０００ＭＷクラスの石炭焚ボイラにおいてはロングスートブロワの設置台数は約５０台程度であるため、スートブロワを順次稼動させ一巡によりボイラ全体の清掃を行うに当たっては５０ｔｏｎの蒸気を消費していることになる。
【００１０】
また、石炭焚ボイラでは１日３回のスートブロワを稼動しているのが現状である。すなわち、１日の運転でスートブロワが消費する蒸気量は１５０ｔｏｎ／日となる。よって、この半分の７５ｔｏｎが対象物のない場所への噴射になっており、本来の装置目的である清掃機能に関与しない無駄な消費になっている。これは年間では約２７０００ｔｏnになる。この無駄な蒸気を削減することによって燃料費の低減を図ることができる。
【００１１】
もう一つの問題点は、対象チューブに対してランスチューブの前進で蒸気を吹き付け灰を除去するが、後退の動作においても同様に蒸気を噴射しているため、前進の蒸気噴射で灰除去されクリーンになったチューブ/コイルの表面に再度、蒸気を吹き付ける行為を実施していることが挙げられる。この後退時の蒸気噴射はチューブのスチームエロージョンとして問題になる。
【００１２】
すなわち、従来のスートブロワ装置は対象物の有無、対象物の汚れ程度に関係なく、動作し始めると動作完了まで蒸気噴射量は一定であり、その量のコントロールには何の考慮もされていなかった。
【００１３】
スートブロワ装置に関連した特許文献としては、次のようなものを挙げることができる。
【００１４】
【特許文献１】特開２００２−２８６２２１
【特許文献２】特開２００２−２１３７２９
【発明の開示】
【発明が解決しようとする課題】
【００１５】
上記従来技術は清掃媒体である蒸気消費量の点について配慮がなされておらず、清掃対象物の有無、対象物の汚れ程度に関係なく、動作し始めると動作完了まで蒸気噴射量は一定であり、その量のコントロールには何の考慮もされていなかった。その結果、非経済的であり、清掃対象物におけるスチームエロージョンの促進等の問題があった。
【００１６】
本発明の目的は、このような従来技術の欠点を解消し、経済的で、しかも清掃対象物におけるスチームエロージョンが抑制できるスートブロワ装置およびその制御方法を提供することにある。
【課題を解決するための手段】
【００１７】
前記目的を達成するため、本発明の第１の手段は、炉内に対して抜き差し可能で先端部にノズルを有するランスチューブと、そのランスチューブを回転駆動するモータと、前記ランスチューブに対する蒸気などの清掃媒体の送込量を調整するポペット弁とを備え、前記ランスチューブを炉内に挿入し、前記ポペット弁を通してランスチューブに清掃媒体を送り込み、前記ノズルからチューブやコイルなどの清掃対象物に清掃媒体を噴射して清掃するスートブロワ装置において、
前記モータによって回転している前記ランスチューブのノズルが清掃対象物と対向しているときと対向していないときを検知するセンサを設け、そのセンサからの信号に基づいてランスチューブのノズルが清掃対象物と対向するときに、前記ポペット弁を開いて前記ノズルから清掃媒体を噴射する構成になっていることを特徴とするものである。
【００１８】
本発明の第２の手段は前記第１の手段において、前記ポペット弁が全開と全閉と中間開度の複数段に切替え可能になっていることを特徴とするものである。
【００１９】
本発明の第３の手段は、炉内に対して抜き差し可能で先端部にノズルを有するランスチューブと、そのランスチューブを回転駆動するモータと、前記ランスチューブに対する清掃媒体の送込量を調整するポペット弁とを備え、前記ランスチューブを炉内に挿入し、前記ポペット弁を通してランスチューブに清掃媒体を送り込み、前記ノズルから清掃対象物に清掃媒体を噴射して清掃するスートブロワ装置の制御方法において、
前記ポペット弁の開度が全開と中間開度に切替え可能になっており、前記モータによって回転している前記ランスチューブのノズルが清掃対象物と対向しているときと対向していないときを検知するセンサを設け、そのセンサからの信号に基づいて、ランスチューブのノズルが清掃対象物と対向するときは、前記ポペット弁を全開にして前記ノズルから清掃媒体を噴射し、ランスチューブのノズルが清掃対象物と対向していないときは、前記ポペット弁を中間開度に絞って前記ノズルからの清掃媒体の噴射量を規制することを特徴とするものである。
【００２０】
本発明の第４の手段は、炉内に対して抜き差し可能で先端部にノズルを有するランスチューブと、そのランスチューブを回転駆動するモータと、前記ランスチューブに対する清掃媒体の送込量を調整するポペット弁とを備え、前記ランスチューブを炉内に挿入し、前記ポペット弁を通してランスチューブに清掃媒体を送り込み、前記ノズルから清掃対象物に清掃媒体を噴射して清掃するスートブロワ装置の制御方法において、
前記ポペット弁の開度が全開と中間開度に切替え可能になっており、前記モータによって回転している前記ランスチューブのノズルが清掃対象物と対向しているときと対向していないときを検知するセンサを設け、そのセンサからの信号に基づいて、ランスチューブのノズルが清掃対象物と対向するときは、前記ポペット弁を全開にして前記ノズルから清掃媒体を噴射し、ランスチューブを炉内から抜き出すときは、前記ポペット弁を中間開度に絞って前記ノズルからの清掃媒体の噴射量を規制することを特徴とするものである。
【００２１】
本発明の第５の手段は、炉内に対して抜き差し可能で先端部にノズルを有するランスチューブと、そのランスチューブを回転駆動するモータと、前記ランスチューブに対する清掃媒体の送込量を調整するポペット弁とを備え、前記ランスチューブを炉内に挿入し、前記ポペット弁を通してランスチューブに清掃媒体を送り込み、前記ノズルから清掃対象物に清掃媒体を噴射して清掃するスートブロワ装置の制御方法において、
前記ポペット弁の開度が全開と中間開度に切替え可能になっており、前記モータによって回転している前記ランスチューブのノズルが清掃対象物と対向しているときと対向していないときを検知するセンサを設け、そのセンサからの信号に基づいて、ランスチューブのノズルが清掃対象物と対向するときは、前記ポペット弁を全開にして前記ノズルから清掃媒体を噴射し、ランスチューブのノズルが清掃対象物と対向していないとき、ならびにランスチューブを炉内から抜き出すときには、前記ポペット弁を中間開度に絞って前記ノズルからの清掃媒体の噴射量を規制することを特徴とするものである。
【発明の効果】
【００２２】
本発明によれば、スートブロワ動作中に清掃媒体流量を制御できるので、特に清掃対象物のない方向への媒体噴射量を減らすことができ、非常に経済的である。
【００２３】
また、クリーンとなった清掃対象（チューブ／コイルなど）に後退時も同様な灰除去効果に必要な高い噴射圧力、噴射量を吹き付けることが無くなるため、清掃対象物に発生するスチームエロージョンを抑制することができる。
【発明を実施するための最良の形態】
【００２４】
以下、本発明の実施形態を図面に基いて説明する。なお従来例と同一個所には同一符号を付して、重複する説明は省略する。
【００２５】
図１は本発明によるポペット弁開閉機構におけるポペット弁閉の状態を示す図、図２は同、ポペット弁開の状態を示す図である。いずれも (ａ)はポペット弁開閉機構の正面図、(ｂ)はポペット弁開閉機構の側面図である。本発明では、図1（ｂ）ならびに図2（ｂ）に示すように、フレーム８に小型のポペット弁開閉カム駆動用モータ１３が設置され、このモータ１３の回転駆動軸１３ａ〔図１（ａ）参照〕は開閉カム１４に連結し、カム１４はトリガ１５に連結ている。
【００２６】
モータ１３は、センサのＯＮ信号により所定角度回転してカム１４を倒し、トリガ１５がステム１６を押し下げ、蒸気を噴射する。
【００２７】
図３はポペット弁３の開閉状態を示すポペット弁３の断面図で、同図（ａ）はポペット弁３の全開状態、同図（ｂ）はポペット弁３の中間位置（中間開度）の状態、同図（ｃ）はポペット弁３の全閉状態を示している。符号の16はトリガ１５の回動動作によって上下動するステムでコイルバネによって常に上方向に弾性付勢されている。17はそのステム１６の下端部に取り付けられたディスクである。カム１４の回転量（回転角）は図３に示すように、ポペット弁３の全開（ａ）、全閉（ｃ）、中間開度（ｂ）の３段階に切り替わるようになっている。この中間位置（ｂ）は、炉内１２に挿入されたランスチューブ７が炉内ガス温度により熱変形することを防ぐために必要な最低の蒸気量を確保するよう、ポペット弁内ディスク１７の位置を設定している。
【００２８】
すなわち、スートブロワ停止位置でポペット弁３は閉、ランスチューブ７の炉内挿入と同時にポペット弁３を開き、そしてポペット弁開の間はランスチューブノズル１８の回転方向の情報により中間位置（中間開度）と全開の間を繰り返す。
【００２９】
このノズル１８の回転方向の情報を与えるためのセンサ２２が、ランスチューブ７の前進と合わせて移動するキャリッジ４に取り付けられている。センサ２２としては、光電式のセンサ若しくはリミットスイッチなどが用いられる。
【００３０】
ランスチューブ７（ノズル１８）の回転状態ならびにドグ２１とセンサ２２の関係を図４に示す。同図に示すように、チューブ１９とチューブ１９の間にランスチューブ７が配置され、ランスチューブ７は矢印２０方向（Ａ→Ｂ→Ｃ→Ｄ→Ａ→・・）に３６０度連続して回転する。ランスチューブ７の側面にはノズル（噴射口）１８が設けられている。図４では、ノズル１８をランスチューブ７の周方向に１箇所設けているが、ノズル１８をランスチューブ７の周方向の対称位置に２個所設けることもできる。
【００３１】
フレーム８には、ノズル１８の回転速度とチューブ１９の進行速度を考慮して一定距離（ピッチ）でセンサ２２をＯＮ―ＯＦＦさせるために直線状にドグ２１が、フレーム８の全長にわたって取り付けられている。移動を開始したキャリッジ４はこのドグ２１によりセンサ２２をＯＮ―ＯＦＦさせることになる。このＯＮ―ＯＦＦ信号はポペット弁３の開閉カム１４を動作させるモータ１３に取り込まれ、ステム１６を上下させて蒸気の噴射量に制限を加える。
【００３２】
すなわち、回転するノズル１８と同期して移動するセンサ２２がドグ２１と対向するとき、センサ２２から出射した光はドグ２１の表面で反射し、その反射光は直ちにセンサ２２に受光されてセンサ２２はＯＮ信号を出力する。このときノズル１８はＡ位置または（ならびに）Ｃ位置あるいはその近傍にあり、ノズル１８はチューブ１９と対向している。ノズル１８が回転してセンサ２２がドグ２１と対向しなくなると、センサ２２から出射した光はドグ２１の表面で反射せず、従ってセンサ２２は受光せず、センサ２２はＯＦＦの状態になる。このときノズル１８は蒸気噴射不要範囲２３であるＢ位置または（ならびに）Ｄ位置にある。
【００３３】
センサ２２のＯＮ―ＯＦＦ信号はポペット弁３の開閉カム１４を動作させるモータ１３に取り込まれてステム１６を上下させ、射出する蒸気量に制限を加える。
【００３４】
また、この機能を使えば、ランスチューブ前進の噴射蒸気量と後退時の蒸気量を変えることができる。これは前進時の蒸気噴射で対象チューブ表面の灰が除去できた場合、前進限のリミットスイッチでキャリッジ４が後退動作を始めるが、この信号を使ってポペット弁３の開度を中間開度一定とする〔図３（ｂ）参照〕。
【００３５】
これは、対象チューブ１９に対してランスチューブ７の前進で蒸気を吹き付け灰を除去するが、後退の動作においても同様に蒸気を噴射しているため、前進の蒸気噴射で灰除去されクリーンになったチューブ／コイルの表面に再度、蒸気を吹き付けると、チューブ１９のスチームエロージョンを生じる。そのため、キャリッジ４の後退時にポペット弁３の開度を中間開度まで絞れば、チューブ１９のスチームエロージョンが抑制できる。
【００３６】
前進工程時と後退工程時でピッチをずらしてこの問題を解決する方法もあるが、実質的には蒸気の噴射時の広がりにより対象物（チューブ／コイル）の表面上を２度吹きしている範囲が出ており、スチームエロージョンの促進となっている。また、蒸気圧を落として前進噴射での１回の動作でなく前後進の２回の噴射動作で灰除去をするように調整すればクリーンなチューブにスチームを吹き付けることはないと考えられるが、実際には灰除去には相当なインパクト圧力が必要であり、１回の吹き付けの受圧力を高く設定しなければ灰除去は効果ないものと思われる。
【００３７】
スートブロア装置が停止しているときは、停止ポジションにあるリミットスイッチがＯＮしてポペット弁３は全閉状態にあり、スートブロア装置が動き始めるとリミットスイッチがＯＦＦになり、ポペット弁３は全開の動作になる。このようにリミットスイッチは停止ポジションに１個設置されている。
【００３８】
光電センサ２２のＯＦＦ時にポペット弁３を全閉状態とすると、ガス温度の高い位置に設置されているスートブロアは、冷却用の蒸気がなくなるので、ランスチューブ７が熱により変形する心配がある。そのため本実施形態では前述のように、光電センサ２２のＯＦＦ時にはポペット弁３を中間位置まで開いて冷却用蒸気を流し、ランスチューブ７の熱変形を防止している。
【００３９】
また本発明の実施形態では、クリーンになった対象チューブ１９をランスチューブ７の引き戻し時クリーンにする必要がないため、ランスチューブ７の引き戻し過程では最初よりノズル１８の方向には無関係で、ポペット弁３を中間位置にした状態でランスチューブ７を引き戻す。ランスチューブ７の挿入過程と引き戻し過程ではそれを駆動するモータの駆動電流が逆転するため、その電流変化を検知してランスチューブ７の引き戻し過程を判断して、ポペット弁３の開度制御を行う。
【００４０】
本発明は、スートブロワの動作中に蒸気量をコントロールする機能をスートブロワ本体に持たせるものであり、ポペット弁コントロールモータの設置、キャリッジに取り付けたセンサにこだわるものではない。
【図面の簡単な説明】
【００４１】
【図１】本発明によるポペット弁開閉機構におけるポペット弁を閉じた状態を示す図で、(ａ)はポペット弁開閉機構の正面図、(ｂ)はポペット弁開閉機構の側面図である。
【図２】そのポペット弁開閉機構におけるポペット弁を開いた状態を示す図で、(ａ)はポペット弁開閉機構の正面図、(ｂ)はポペット弁開閉機構の側面図である。
【図３】そのポペット弁の各状態を示す断面図である。
【図４】ランスチューブの回転状態ならびにセンサとドグの関係を示す図である。
【図５】スートブロワの全体構成を示す図である。
【図６】ランスチューブ挿入時のスートブロワ全体構成を示す図である。
【図７】従来技術によるポペット弁開閉機構を示す図で、(ａ)はポペット弁開閉機構の正面図、(ｂ)はポペット弁開閉機構の側面図である。
【図８】吊り下げコイルに設置されたスートブロワの有効清掃範囲を示す図である。
【図９】横置コイルに設置されたスートブロワの有効清掃範囲を示す図である。
【符号の説明】
【００４２】
１：ウォールボックス、２：ローラブラケット、３：ポペット弁、４：キャリッジ、５：駆動モータ、６：フィードチューブ、７：ランスチューブ、８：フレーム、９：操作ボックス、１０：後部サポート、１１：炉外、１２：炉内、１３：開閉カム駆動用モータ、１３ａ：回転駆動軸、１４：ポペット弁開閉カム、１５：トリガ、１６：ステム、１７：ディスク、１８：ノズル、１９：対象チューブ、２０：ランスチューブの回転方向、２１：ドグ、２２：光電センサ、２３：蒸気噴射不要範囲。
【図１】
2005147581.tif 000003
【図２】
2005147581.tif 000004
【図３】
2005147581.tif 000005
【図４】
2005147581.tif 000006
【図５】
2005147581.tif 000007
【図６】
2005147581.tif 000008
【図７】
2005147581.tif 000009
【図８】
2005147581.tif 000010
【図９】
2005147581.tif 000011